(57)【要約】【課題】  携帯電話を利用した防犯装置【解決手段】  各種センサー及びそれによって駆動するモータに複数のソレノイドをマイクロスイッチを介して並列に回路構成し、各ソレノイドにはスイッチピンを設け、各ソレノイドをＯＮにするスイッチ付きチェーンを該各ソレノイドのピンに接触可能な状態で循環させ、該ソレノイドは鉄芯内に棒を挿嵌し、先端を装置外に突出させ、該先端に携帯電話のボタン押圧する押圧部を有したボタン押圧具を設け携帯電話のボタンを押圧可能とする。あるいは別のソレノイドは鉄芯末端部にワイヤー・支柱を設けて携帯電話のボタン押圧部と連結し、ソレノイドの駆動によって引っ張られたワイヤーが支柱を介してボタン押圧部を携帯電話のボタンを押圧させることを可能とする。【選択図】  図１
0003145952.tif 000002
【実用新案登録請求の範囲】
【請求項１】
各種センサー及びそれによって駆動するモータ、複数のソレノイドをマイクロスイッチを介して並列に回路構成し、各マイクロスイッチのピンに対応し、各ソレノイドをＯＮにする突起付きチェーンを該各マイクロスイッチのピンに接触可能な状態で循環させ、該ソレノイドは、鉄芯内に棒を挿嵌し、先端をソレノイドから突き抜けるようにし、該先端に携帯電話のボタン押圧する押圧部を設け、ソレノイドの駆動によって先端の押圧部が携帯電話のボタンを押圧可能としたことを特徴とするチェーン式センサー防犯装置。
【請求項２】
各種センサー及びそれによって駆動するモータ、複数のソレノイドをマイクロスイッチを介して並列に回路構成し、各マイクロスイッチのピンに対応し、各ソレノイドをＯＮにする突起付きチェーンを該各マイクロスイッチのピンに接触可能な状態で循環させ、該ソレノイドにはさらに支柱に保持され、支点・ばねを介して、携帯電話のボタン押圧する押圧部を有したボタン押圧具を設け、ソレノイドの駆動によって引っ張られたワイヤーによって携帯電話のボタンを押圧可能としたことを特徴とするチェーン式センサー防犯装置。
【請求項３】
該押圧具による押圧動作については、第１ソレノイドによる発信動作に続き、一定時間経過後に回路に組みこまれた第２ソレノイドのマイクロスイッチのピンにチェーンに設けた突起が触れることによって携帯電話の発信解除ボタンを押圧し、携帯電話への発信を停止することを特徴とする請求項１又は２記載のチェーン式センサー防犯装置。
【請求項４】
該第２ソレノイドの押圧具による発信解除後に回路に組みこまれたリミットマイクロスイッチのピンにチェーンに設けた突起が触れることによってモータ電源をオフにすることを特徴とする請求項１〜３記載のチェーン式センサー防犯装置。
【請求項５】
該装置作動後電源がＯＦＦとなった後に再開するためのランプおよび調整スイッチを回路に直列に設け、該調整スイッチは電源が切られた後に手動でＯＮすることにより回路に電源を投入し、チェーンを少し動かすことで回路に接続されているランプを点灯させ、始動位置にきたことをチェーンに設けられた突起がランプに触れてランプが消えることによって示すことを特徴とする請求項１から４記載のチェーン式センサー防犯装置。
【請求項６】
該センサーは、磁気抵抗センサーであって、平行して設けた鉄板上をスイッチと連動するようにした磁石が滑り移動する構成となっていることを特徴とする請求項１から５記載のチェーン式センサー防犯装置。
【考案の詳細な説明】
【技術分野】
【０００１】
本考案は、畑、倉庫、自動車、神社仏閣、住居などへの侵入を防止するための防犯装置に関するものである。特に、犯人の侵入時にタイムリーに予め登録された携帯電話に発信して連絡し、一定時間後に発信を停止することを特徴とするものである。
【背景技術】
【０００２】
従来、防犯装置は種々のものが開発されているようであるが、既存の携帯電話をそっくり装置にセットできるようにし、連絡先への発信手段として利用し、そのための機構としてチェーンとソレノイドを使用したものは存在しない。このような構成にすることで、簡単な構成でコンパクトな安価な防犯装置が提供可能であり、防犯装置をセットしない場合には、携帯電話を本来の携帯電話として使用することが可能であって好ましい。
【０００３】
上記防犯装置としては、下記特許文献１があるが、主に照明装置によって威嚇しようとするもので、本願とは異なるものである。
【０００４】
【特許文献１】特許第３８９６４１５号
【考案の開示】
【考案が解決しようとする課題】
【０００５】
このほか近年開発されている防犯通報装置は、装置内に通報用の発信装置が組み込まれているため、装置が大型化するとともに、使用していないときにおいても携帯電話としては使用できず、携帯がどんどん進化した場合には発信装置の電波が対応できないなどの問題点を有していた。また一般の電話回線を利用した装置もあるが、装置が高額となる。
【０００６】
従って、このような状況に対して、本考案の考案者が英知努力して開発した結果、簡単な比較的小さな装置でチェーンとソレノイド、ばね・支柱を使用して、いかなる携帯電話でも発信機として使用可能とし、登録済みの通報先への発信を可能としたものである。
【課題を解決するための手段】
【０００７】
本考案のチェーン式センサー防犯装置は、各種センサー及びそれによって駆動するモータ、複数のソレノイドをマイクロスイッチを介して並列に回路構成し、各マイクロスイッチのピンに対応し、各ソレノイドをＯＮにする突起付きチェーンを該各マイクロスイッチのピンに接触可能な状態で循環させ、該ソレノイドは、鉄芯内に棒を挿嵌し、先端をソレノイドから突き抜けるようにし、該先端に携帯電話のボタン押圧する押圧部を設け、ソレノイドの駆動によって先端の押圧部が携帯電話のボタンを押圧可能としたことを要旨とする。
【０００８】
本考案のチェーン式センサー防犯装置は、各種センサー及びそれによって駆動するモータ、複数のソレノイドをマイクロスイッチを介して並列に回路構成し、各マイクロスイッチにはスイッチ受け部としてのピンを設け、そのピンに対応し、各ソレノイドをＯＮにする突起付きチェーンを該各マイクロスイッチのピンに接触可能な状態で循環させ、該ソレノイドにはさらに支柱により保持され、ばね・支点を介して、携帯電話のボタン押圧する押圧部を有したボタン押圧具を設け、ソレノイドの駆動によって引っ張られたワイヤー・ばねによって携帯電話のボタンを押圧可能としたことを要旨とする。
【０００９】
本考案のチェーン式センサー防犯装置における該押圧具による押圧動作については、第１ソレノイドによる発信動作に続き、一定時間経過後に回路に組みこまれた第２ソレノイドのマイクロスイッチのピンにチェーンに設けた突起が触れることによって携帯電話の発信解除ボタンを押圧し、携帯電話への発信を停止することを要旨とする。
【００１０】
本考案のチェーン式センサー防犯装置は、さらに該第２ソレノイドの押圧具による発信解除後に回路に組みこまれたリミットマイクロスイッチのピンにチェーンに設けた突起が触れることによってモータ電源をオフにすることを要旨とする。
【００１１】
本考案のチェーン式センサー防犯装置は、該装置作動後電源がＯＦＦとなった後に再開するためのランプおよび調整スイッチを回路に直列に設け、該調整スイッチは電源が切られた後に手動でＯＮすることにより回路に電源を投入し、チェーンを少し動かすことで回路に接続されているランプを点灯させ、始動位置にきたことをチェーンに設けられた突起がランプに触れてランプが消えることによって示すことを要旨とする。
【００１２】
該センサーは、磁気抵抗センサーであって、平行して設けた鉄板上をスイッチと連動するようにした磁石が滑り移動する構成となっており、導体面に絶縁体を挟持させる形となっており磁石がスイッチから遠ざかると電源が入り、磁石がスイッチに近づくと電源が切れる構成となっていることを要旨とする。
【考案の効果】
【００１３】
本考案のチェーン式センサー防犯装置は、モータと突起付きチェーンとソレノイド及びマイクロスイッチ、携帯電話等から構成される簡易な構成であるため、複雑な装置を必要とせず、持ち運びに便利であり、自動車内においても設置可能となる。またチェーンを用いているが始動開始点への誘導もランプによって目視可能としており、使い勝手が良い。
また電源については、一般電源の他、電池等でも長時間作動可能であり経済的である。
【考案を実施するための最良の形態】
【００１４】
本考案に係るチェーン式センサー防犯装置は、磁気抵抗センサーとその信号により携帯電話の発信動作を行わせるためのスイッチを入れるためのモータによるチェーン駆動回路と、チェーンに設けられた突起により入れられたマイクロスイッチにより携帯のボタンを押すソレノイド利用ばねからなるボタン押圧具なる発信装置等から構成される。
【００１５】
ここでセンサーとは人感センサーや物体感知センサー、磁気センサー、ショック振動センサーなどあらゆるセンサーを含む。また、携帯電話は取り外し可能に簡易固定している。
【実施例１】
【００１６】
本考案は、畑、倉庫、自動車、神社仏閣、住宅等に例えばてぐす等の目にみえにくい糸を張って、磁気抵抗センサー（２）を設置する。磁気センサーの例としては、例えば図２に示すようなものが考えられる。樹脂製の軸先端の穴（２’）にてぐす等をつないで侵入路に設置する。そのセンサーのスイッチが入ること、すなわち不審者がその磁気抵抗センサーに触れることで、軸が引き抜かれ、スイッチが入ると回路に組まれているモータ（３）が始動する。モータにはギヤを介してチェーンが連結され、チェーンには、図１に示すようにソレノイド（５）（７）（９）のマイクロスイッチ（４）（６）（８）をＯＮとする突起（１３）が設けられており、チェーンが一周回転することによってこの突起も回転し、マイクロスイッチ（４）（６）（８）のピンに接触することで、それらのスイッチをＯＮとすることができる。この実施例ではスイッチ（６）と（８）の間は１分としている。また（１０）は全体の回路電源を落とすためのスイッチとなる。
【００１７】
次に具体的に、携帯電話の説明図（図３のＡ・Ｂ）を用いてボタンの押圧動作について説明する。まず、チェーンの回転によりチェーンの突起が（４）のマイクロスイッチに触れ、同時に（５）のソレノイドの動きによって押圧部が発信すべき電話番号を登録しているワンタッチキー（１５）を押す。次にチェーンの回転によって突起が（６）のマイクロスイッチに触れその瞬間に（７）のソレノイドが発信ボタンキー（１６）を押す。
【００１８】
その後突起が（６）のマイクロスイッチから（８）のマイクロスイッチに触れるまで電話の呼び出し信号を発信して約１分間鳴り続ける。次に（８）のマイクロスイッチにチェーンの突起が触れると（９）のソレノイドは電話の電源ボタン（１７）を切る。さらにモータは駆動しているため、チェーンは一周して（１０）のリミットマイクロスイッチに触れてキット回路の電流を停止する。
【００１９】
ここでソレノイドについて説明する。本実施例においては、図４に示すように、一般に使用されているソレノイドの先端に穴部（１８）を設け、内に設置した可動鉄心（１９）内に軸芯（２０）を貫通させて該先端の穴部より突出させ、その最先端部を携帯電話のボタンを押圧する押圧部（２１）とする変形ソレノイドを使用している。ソレノイドは電流を加えることで直進運動を得ることができる。運動できる範囲が狭い、すなわちストロークが短いが、小型で高速応答を得られるため、この変形ソレノイドは瞬間に携帯電話のボタンを押圧することができる。その状態を図３Ｂに示す。
【００２０】
一方、この防犯装置によって携帯電話のベルが１分鳴って、呼び出された場合の対応について説明する。
携帯のベルが鳴った場合、自己が設置したセンサーが何かを感知したということがわかる。急いで現場に急行するか、代理の人あるいは警察に通報し、現場を点検し、侵入犯の退治を図ることになる。
【００２１】
犯行の確認後には、装置の電源が切れた状態となっているのを復帰する必要がある。
【００２２】
復帰方法としては、回路に設けた始動調整ボタン（１１）のスイッチを入れる。すると回路に電源が投入され、チェーンを手動で少し動かすと同時に回路に始動調整のために設けられたランプ（１２）が点灯する。
【００２３】
この段階で手動でチェーンをさらに移動させるとランプが消える位置がある。この位置において手を離すと適正な始動位置にセットできたこととなる。その理由は、チェーンが始動位置に来た場合にこの小突起（１４）がランプの電源をＯＦＦとできるように構成されているためで、押圧のための突起（１３）の近傍にランプ解除のための小突起（１４）が設けられ、その突起が接触によりランプの電源をＯＦＦとできるようになっているためである。
【実施例２】
【００２４】
本実施例２においては、携帯電話のボタンを押す動作をソレノイドと連携させたばねと支柱アングル（２５）によってソレノイドの引っ張り力を押圧力に変えることによってボタンを押圧する機構について説明する。図５に示すような装置を用いる。ソレノイド（５）にはステンレスワイヤー（２４）と支柱アングル（２５）が支点（２２）及びベアリング（２３）・ばね等を介して押圧具として構成されている。ソレノイドが左方向にＡだけ引っ張られると上記構成により、押圧具は反対方向Ｂのみ移動することとなり、設置された携帯電話の押しボタンを押圧することができる。
【００２５】
このような構成であれば、ソレノイドの引っ張り力を押圧力に容易に変えることができ、しかもソレノイドの瞬間のストロークによるずれをある程度防止することが可能となる。
【産業上の利用可能性】
【００２６】
以上説明したように、本考案のチェーン式防犯装置は、装置が簡単であり、どのような場所にも簡単にセットすることができる。またセットした携帯電話も取り外せば普通の携帯電話として使用可能である。従って、必要なときのみ携帯電話をセットして、簡単に安価に防犯装置をセットすることが可能となる。
【００２７】
また、発信後も再開のための調整ボタンも設けられており、いつでも誰でもセットが容易となる。畑や倉庫、店舗、自動車など留守にする場合に簡易に設置することで、防犯効果を高めることができる。従って本考案は産業上の利用可能性があることはいうまでもない。
【図面の簡単な説明】
【００２８】
【図１】本考案の第１の実施例に係る回路図である。
【図２】本考案の磁気抵抗センサーの縦断面図である。
【図３】本考案の第１の実施例に係るソレノイドによる携帯電話のボタンを押圧する状態説明図である。
【図４】本考案の第１の実施例に係るソレノイドによる押圧機構を説明する説明図である。
【図５】本考案の第２の実施例に係るソレノイドと支柱による押圧機構を説明する説明図である。
【符号の説明】
【００２９】
１  バッテリー
２  センサー
３  モータ
４・６・８  マイクロスイッチ
５・７・９  ソレノイド
１０  リミットマイクロスイッチ
１１  始動調整ボタン
１２  始動位置知らせランプ
１３  マイクロスイッチＯＮ用突起
１４  ランプＯＦＦ用小突起
１５  ワンタッチダイアルボタン
１６  発信ボタン
１７  停止ボタン
１８  穴部
１９  可動鉄芯
２０  軸芯
２１  押圧部
２２  支点
２３  ベアリング
２４  ワイヤー
２５  支柱アングル
【図１】
0003145952.tif 000003
【図２】
0003145952.tif 000004
【図３】
0003145952.tif 000005
【図４】
0003145952.tif 000006
【図５】
0003145952.tif 000007